【事件の表示】
　特許第２９７０９０７号「ＰＣＭにおけるアナログ信号合成装置」の請求項１ないし３に係る特許に対する特許異議の申立てについて、次のとおり決定する。
【結　論】
　訂正を認める。
　特許第２９７０９０７号の請求項１ないし３に係る特許を維持する。
【理　由】
（１）手続の経緯
　特許第２９７０９０７号の請求項１、２、３に係る発明についての出願は、昭和６３年４月１３日に特許出願され、平成１１年８月２７日にその発明について特許の設定登録がされ、その後、その特許について、異議申立人田中清美により特許異議の申立てがなされ、取消理由通知がなされ、その指定期間内である平成１２年１１月１６日に訂正請求がなされたものである。
（２）訂正の適否
（訂正事項）
　ａ　特許請求の範囲の請求項１において
「複数のチャンネルを介して読み出される複数のＰＣＭデータからアナログ信号を合成するＰＣＭにおけるアナログ信号合成装置において、
　前記複数のチャンネルが割り当てられた波形メモリであって、前記複数のチャンネル数より多い数の前記複数のアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
を、
「複数のチャンネルを介して読み出される複数のＰＣＭデータから音声合成信号としてのアナログ信号を合成するＰＣＭにおけるアナログ信号合成装置において、
　前記複数のチャンネルが割り当てられた波形メモリであって、前記複数のチャンネル数より多い数の前記複数の音声信号としてのアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータの中から動作プログラムに従い複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
と訂正する。
ｂ　出願当初明細書第９頁第４行目〜第１０頁第６行目の記載において、
「複数のチャンネルを介して読み出される複数のＰＣＭデータからアナログ信号を合成するＰＣＭにおけるアナログ信号合成装置において、
　前記複数のチャンネルが割り当てられた波形メモリであって、前記複数のチャンネル数より多い数の前記複数のアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
を、
「複数のチャンネルを介して読み出される複数のＰＣＭデータから音声合成信号としてのアナログ信号を合成するＰＣＭにおけるアナログ信号合成装置において、
　前記複数のチャンネルが割り当てられた波形メモリであって、前記複数のチャンネル数より多い数の前記複数の音声信号としてのアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータの中から動作プログラムに従い複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
と訂正する。
（訂正の適否の判断）
訂正事項ａは、特許明細書に記載された事項の範囲内において「複数のＰＣＭデータからアナログ信号を合成する」をより下位概念に限定し、また、特許明細書に記載された事項の範囲内において「複数のチャンネル数より多い数の前記複数のアナログ信号」をより下位概念に限定し、また、特許明細書に記載された事項の範囲内において「波形メモリに記憶されている前記複数のＰＣＭデータを任意に組み合わせて、前記各チャンネルを介して読み出す手段」をより下位概念に限定したものといえるから、特許請求の範囲の減縮を目的とするものであって、新規事項の追加に該当せず、また、実質上特許請求の範囲を拡張し、又は変更するものではない。
訂正事項ｂは、特許明細書の「問題点を解決するための手段」の記載を訂正された特許請求の範囲の請求項１の記載と整合させるためのもので、明瞭でない記載の釈明に相当するものであり、新規事項の追加に該当せず、実質上特許請求の範囲を拡張し、又は変更するものでもない。
（むすび）
　以上のとおりであるから、上記訂正は特許法第１２０条の４第２項に掲げる事項を目的とし、且つ同条第３項において準用する特許法第１２６条第２、３項の規定に適合するので、当該訂正を認める。
３．特許異議の申立てについての判断
（申立ての理由の概要）
　特許異議申立人田中清美は、本件請求項１〜３に係る発明は、甲第１号証刊行物（特開昭５７−１１３６１８号公報）、甲第２号証刊行物（ロ−ランドＤ−５０／Ｄ−５５０・Ｓ−５０／Ｓ−５５０音づくりのすべて：株式会社リット−ミュ−ジック、第７６頁〜第１２０頁、昭和６２年１２月２１日発行）、及び甲第３号証刊行物（特公昭５９−１７８３８号公報）に基づいて当業者が容易に発明をすることができたものであり、特許法第２９条第２項に規定する発明に該当するので、本件請求項１〜３に係る発明の特許は、特許法第１１３条第２号に該当し、取り消されるべきものである旨主張している。
（本件請求項１〜３に係る発明）
　本件請求項１〜３に係る発明は、訂正明細書の特許請求の範囲の請求項１〜３に記載されたとおりの次のものである。
請求項１「（１）複数のチャンネルを介して読み出される複数のＰＣＭデータから音声合成信号としてのアナログ信号を合成するＰＣＭにおけるアナログ信号合成装置において、
　前記複数のチャンネルが割り当てられた波形メモリであって、前記複数のチャンネル数より多い数の前記複数の音声信号としてのアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータの中から動作プログラムに従い複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
請求項２「（２）特許請求の範囲（１）記載の装置において、
　前記読み出す手段は、前記複数のＰＣＭデータをタイムシェアリングにより前記波形メモリから順次読み出し、
　前記オーバーサンプリング手段は、前記タイムシェアリングにより順次読み出された前記ＰＣＭデータを順次オーバーサンプリングし、
　前記加算する手段は、オーバーサンプリングされた前記各ＰＣＭデータを、前記複数のチャンネル数分累算してその累算値を出力する、ことを特徴とするＰＣＭにおけるアナログ信号合成装置。」
請求項３「（３）特許請求の範囲（１）又は（２）記載の装置において、
　前記オーバーサンプリング手段は、波形メモリから読み出される各チャンネルのＰＣＭデータを、ｎ次補完（但し、ｎは整数）し、各ＰＣＭデータのサンプリング周波数を高周波側にシフトさせるよう形成されたことを特徴とするＰＣＭにおけるアナログ信号合成装置。」
（引用刊行物記載の発明）
  当審が平成１２年９月４日に付けで通知した取消理由で引用した刊行物１（特開昭５７−１１３６１８号公報）の特に第７図とその説明には、複数のアナログ信号をそれぞれ異なるサンプリング周波数でサンプリングした複数のディジタルサンプリングデ−タがある場合、その複数のディジタルサンプリングデ−タの発生部１１０からのデ−タが補間回路１２０（インパルス応答特性の振幅デ−タを利用した補間回路）に送られ、同一のサンプリング周波数に変換して、加算し、Ｄ−Ａ変換器でアナログ信号に変換し、ディジタルサンプリングデ−タに含まれる折り返しノイズを除去する１個のロ−パスフィルタに送ることによりアナログ合成信号を得ることが記載されている。そして、ディジタルサンプリングデ−タ発生部１１０にＲＡＭ（ランダムアクセスメモリ−）等を用いる場合には、このメモリ−の読み出しアドレスとしてサンプリングアドレスＮを供給すること（第４頁左下欄〜同頁右下欄）、また、時分割で波形デ−タを取り扱うこと（第４頁右下欄）も記載されている。
　刊行物２（ロ−ランドＤ−５０／Ｄ−５５０・Ｓ−５０／Ｓ−５５０音づくりのすべて：株式会社リット−ミュ−ジック、第７６頁〜第１２０頁、昭和６２年１２月２１日発行）の特に第８０頁には、最大音色数３２に対して最大同時発音数は、最大音色数３２より少ない１６であることが記載されている。
　刊行物３（特公昭５９−１７８３８号公報）には、アナログ信号をサンプリングしたサンプリングデ−タを、ｎ次補間の方法で補間すること（第４頁左欄）が記載されている。
（対比・判断）
  訂正明細書の請求項１に係る発明と刊行物１〜３に記載された発明とを対比すると、刊行物１〜３のいずれにも、本件請求項１に係る発明を構成するための事項である「複数のチャンネルが割り当てられた波形メモリであって、前記複数のチャンネル数より多い数の複数の音声信号としてのアナログ信号を、異なるサンプリング周波数でサンプリングされたＰＣＭデータとして記憶し、かつ任意の前記チャンネルから読み出し可能に前記ＰＣＭデータが記憶された波形メモリと、前記波形メモリに記憶されている前記複数のＰＣＭデータの中から動作プログラムに従い複数のＰＣＭデータを任意に組み合わせて、前記各チャンネルを介して読み出す手段」が記載されていない。そして、当該事項により、波形メモリからのＰＣＭデ−タの選択及びその読み出しは、動作プログラムに従い行われ、音声合成のバリエ−ションを飛躍的に多くすることができるという顕著な効果を奏するものであり、本件請求項１に係る発明が、引用刊行物１〜３に記載されはものから当業者が容易に発明をすることができる程度のものとは認められない。
　そして、本件請求項２、３に係る発明は、本件請求項１を引用しているから、本件請求項２、３に係る発明が引用刊行物１〜３に記載されはものから当業者が容易に発明をすることができる程度のものとは認められないことはいうまでもない。
（むすび）
　以上のとおりであるから、特許異議申立ての理由及び証拠によっては、本件請求項１〜３に係る発明の特許を取り消すことはできない。
　また、他に本件請求項１〜３に係る発明の特許を取り消すべき理由を発見しない。
　よって、結論のとおり決定する。
【異議決定日】
平成１３年１月１０日（２００１．１．１０）
【訂正の要旨】
　（３）訂正の要旨
　　　１）訂正事項ａ
　本件特許公報に記載の特許請求の範囲の請求項１に係る記載
　「（１）複数のチャンネルを介して読み出される複数のＰＣＭデータからアナログ信号を合成するＰＣＭにおけるアナログ信号合成装置において、
　前記複数のチャンネルが割り当てられた波形メモリであって、前記複数のチャンネル数より多い数の前記複数のアナログ信号を、異なるサンプリング周波数でサンプリングされた前記ＰＣＭデータとして記憶し、かつ任意の前記チャンネルから読み出し可能に前記ＰＣＭデータが記憶された波形メモリと、
　前記波形メモリに記憶されている前記複数のＰＣＭデータを任意に組み合わせて、前記各チャンネルを介して読み出す手段と、
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
　を、
　「（１）複数のチャンネルを介して読み出される複数のＰＣＭデータから
音声合成信号としての
　前記複数のチャンネルが割り当てられた波形メモリであって、前記複数のチャンネル数より多い数の前記複数の
音声信号としての
　前記波形メモリに記憶されている前記複数のＰＣＭデータ
の中から動作プログラムに従い複数のＰＣＭデータを
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。」
　と訂正する。
　　　２）訂正事項ｂ
　出願当初明細書第９頁第４行目〜第１０頁第６行目の記載
　「複数のチャンネルを介して読み出される複数のＰＣＭデータからアナログ信号を合成するＰＣＭにおけるアナログ信号合成装置において、
　複数のチャンネルが割り当てられた波形メモリであって、複数のチャンネル数より多い数の複数のアナログ信号を、異なるサンプリング周波数でサンプリングされたＰＣＭデータとして記憶し、かつ任意のチャンネルから読み出し可能にＰＣＭデータが記憶された波形メモリと、
　波形メモリに記憶されている複数のＰＣＭデータを任意に組み合わせて、各チャンネルを介して読み出す手段と、
　波形メモリから読み出される各チャンネルのＰＣＭデータのサンプリング周波数を高周波側にシフトさせるオーバーサンプリング手段と、
　オーバーサンプリング処理された各チャンネルのＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号からＰＣＭデータに含まれる折り返しノイズを除去するローパスフィルタと、
　を含むことを特徴とする。」
　を、
　「複数のチャンネルを介して読み出される複数のＰＣＭデータから
音声合成信号としての
　前記複数のチャンネルが割り当てられた波形メモリであって、前記複数のチャンネル数より多い数の前記複数の
音声信号としての
　前記波形メモリに記憶されている前記複数のＰＣＭデータ
の中から動作プログラムに従い複数のＰＣＭデータを
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とする。」と訂正する。
（５４）【発明の名称】
ＰＣＭにおけるアナログ信号合成装置
（５７）【特許請求の範囲】
（１）複数のチャンネルを介して読み出される複数のＰＣＭデータから
音声合成信号としての
　前記複数のチャンネルが割り当てられた波形メモリであって、前記複数のチャンネル数より多い数の前記複数の
音声信号としての
　前記波形メモリに記憶されている前記複数のＰＣＭデータ
の中から動作プログラムに従い複数のＰＣＭデータを
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とするＰＣＭにおけるアナログ信号合成装置。
（２）特許請求の範囲（１）記載の装置において、
　前記読み出す手段は、前記複数のＰＣＭデータをタイムシェアリングにより前記波形メモリから順次読み出し、
　前記オーバーサンプリング手段は、前記タイムシェアリングにより順次読み出された前記ＰＣＭデータを順次オーバーサンプリングし、
　前記加算する手段は、オーバーサンプリングされた前記各ＰＣＭデータを、前記複数のチャンネル数分累算してその累算値を出力する、ことを特徴とするＰＣＭにおけるアナログ信号合成装置。
（３）特許請求の範囲（１）又は（２）記載の装置において、
　前記オーバーサンプリング手段は、波形メモリから読み出される各チャンネルのＰＣＭデータを、ｎ次補完（但し、ｎは整数）し、各ＰＣＭデータのサンプリング周波数を高周波側にシフトさせるよう形成されたことを特徴とするＰＣＭにおけるアナログ信号合成装置。
【発明の詳細な説明】
［産業上の利用分野］
　本発明はＰＣＭにおけるアナログ信号合成装置、特に波形メモリから多チャンネル分のＰＣＭデータを読み出してアナログ信号を合成するアナログ信号合成装置に関する。
［従来の技術］
背景技術
　ＰＣＭは、ノイズに対して非常に強く、隣接チャンネルとの干渉にも強いなどの優れた特徴を有することから、今日、例えばシンセサイザー、音楽用のコンパクトディスク装置、ＰＣＭ通信方式およびその他の用途に幅広く用いられている。
　第８図には、ＰＣＭの原理が示されている。例えば、音声などのアナログ信号をＰＣＭ信号に変換する場合には、まず第８図（Ａ）に示すように、アナログ信号１００を所定のサンプリング周波数で標本化し、第８図（Ｂ）に示すようなＰＡＭ波を得る。そして、このようなＰＡＭ波に量子化、符号化処理を施しＰＣＭデータを得る。
　また、このようにして得られたＰＣＭデータをアナログ信号に再変換する場合には、まずＰＣＭデータを復号化し、第８図（Ｂ）に示すようなＰＡＭ波を得る。そして、これをローパスフィルタを通すことにより、原アナログ波形の信号波が再現される。
　ところで、アナログ信号をｆｓの周波数でサンプリングすると、第９図に示すような波形スペクトラムとなる。ここにおいて、斜線部分は原アナログ信号のスペクトラムである。また、このようなサンプリングを行うと、そのサンプリング周波数の整数倍、すなわちｆｓ、２ｆｓ、３ｆｓ、…を中心に複数の折り返しノイズが発生する。この折り返しノイズは、サンプリング周波数ｆｓが低いと、現信号の波形スペクトラムと重なり合ってしまうため、原アナログ信号を忠実に再生することが不可能となる。
　しかし、サンプリング周波数ｆｓを高くすると、取扱うデータ量が増え、データ処理が極めて繁雑なものとなってしまう。
　従って、原アナログ信号を忠実に再生し、しかも取扱うデータ量を最小限に抑えるためには、折返しノイズが原信号と混ざらない範囲で、サンプリング周波数をできるだけ小さな値に設定してやることが必要とされる。
　サンプリング定理によれば、原アナログ信号の波形スペクトラムと折り返しノイズとが混ざらないようにするためには、サンプリング周波数を原アナログ信号の最高の周波数の２倍以上に設定すれば良いことが知られている。従って、サンプリング周波数を、対象とするアナログ信号の最高周波数の２倍に設定すれば、取扱うデータ量を最小限に抑え、原アナログ信号を忠実に再生することが可能となる。
　第１０図には、このようなＰＣＭ技術を利用したアナログ信号合成装置の一例が示されている。
　この装置は、複数のアナログ信号を、異なるサンプリング周波数でサンプリングされたＰＣＭデータとして記憶した波形メモリ１０を含む。そして、この波形メモリ１０から、３チャンネル分のＰＣＭデータを読み出してアナログ信号を合成出力するよう形成されている。
　例えば、このアナログ信号合成装置を用いて、複数の楽器の合成音を出力しようとする場合には、対象とする複数種類の楽器、例えばギター、ドラム、ベースの各音声アナログ信号を、その周波数に対応した周波数ｆｓ１、ｆｓ２、ｆｓ３でサンプリングされたＰＣＭデータとして波形メモリ１０へ予め記憶する。
　そして、この波形メモリ１０からは、チャンネル１、チャンネル２、チャンネル３を介して、サンプリング周波数ｆｓ１、ｆｓ２、ｆｓ３の各ＰＣＭデータが読み出され、Ｄ／Ａコンバータ１２−１、１２−２、１２−３を介してアナログ信号に変換され、ローパスフィルタ１４−１、１４−２、１４−３へ入力される。そして、入力された各アナログ信号は、フィルタ１４−１、１４−２、１４−３により折り返しノイズが除去された後、アンプ１６−１、１６−２、１６−３を介してミキサー１８へ向け出力される。そして、ミキサー１８は、各チャンネルを介して入力された３チャンネル分のアナログ信号をミキシングし、３種類のアナログ信号の合成アナログ信号、例えばギター、ドラム、ベースの各楽器の合成アナログ音を出力している。
［発明が解決しようとする問題点］
　ところで、ローパスフィルタ１４を用いて、ＰＣＭデータに含まれる折り返しノイズを除去するためには、各ローパスフィルタ１４−１、１４−２、１４−３のカットオフ周波数ｆｃを、第１１図（Ａ）に示すように、サンプリング周波数ｆｓの２分の１に設定してやることが必要とされる。これは、例えば同図（Ｂ）に示すように、カットオフ周波数ｆｃが（１／２）ｆｓより大きくなると、折り返しノイズの一部を除去することができず、この部分がノイズとして再生されてしまうからである。
　しかし、ＣＨ１、ＣＨ２、ＣＨ３の各チャンネルを介して読み出されるＰＣＭデータは、その各サンプリング周波数がｆｓ１、ｆｓ２、ｆｓ３とそれぞれ異なる。このため、これら各チャンネルに対応して設けられたローパスフィルタ１４−１、１４−２、１４−３は、そのカットオフ周波数ｆｃ１、ｆｃ２、ｆｃ３がそれぞれ異なる値に設定されなければならないという問題があった。
　特に、このような装置は、波形メモリ１０から読み出される各ＰＣＭデータのサンプリング周波数とローパスフィルタ１４のカットオフ周波数ｆｃとが１対１に対応している。このため、各チャンネルが汎用性に乏しく、例えばＣＨ１からはギター、ＣＨ２からはドラム、ＣＨ３からはベースという特定のＰＣＭデータしか読出すことができないという問題があった。
　従って、波形メモリ１０から例えば１０種類、２０種類といった多種類のＰＣＭデータを読み出そうとする場合には、ＰＣＭデータの種類と同じ数のチャンネルを設けなければならず、装置全体の構成が複雑かつ高価なものとなってしまうという問題があった。
　本発明は、このような課題に鑑みなされたものであり、その目的は、各チャンネルのＰＣＭデータに含まれる折り返しノイズの除去を共通のローパスフィルタを用いて行うＰＣＭにおけるアナログ信号合成装置を提供することにある。
［問題点を解決するための手段］
　
前記目的を達成するため、本発明は、
　複数のチャンネルを介して読み出される複数のＰＣＭデータから
音声合成信号としての
　前記複数のチャンネルが割り当てられた波形メモリであって、前記複数のチャンネル数より多い数の前記複数の
音声信号としての
　前記波形メモリに記憶されている前記複数のＰＣＭデータ
の中から動作プログラムに従い複数のＰＣＭデータを
　前記波形メモリから読み出される前記各チャンネルの前記ＰＣＭデータのサンプリング周波数を高周波側にシフトさせるオーバーサンプリング手段と、
　オーバーサンプリング処理された前記各チャンネルの前記ＰＣＭデータを加算する手段と、
　加算されたデータをアナログ信号に変換するＤＡ変換手段と、
　高周波側にシフトされたサンプリング周波数に基づきカットオフ周波数が設定され、合成されたアナログ信号から前記ＰＣＭデータに含まれる折り返しノイズを除去するローパスフィルタと、
　を含むことを特徴とする。
　本発明において、
　読み出す手段は、複数のＰＣＭデータをタイムシェアリングにより波形メモリから順次読み出し、
　オーバーサンプリング手段は、タイムシェアリングにより順次読み出されたＰＣＭデータを順次オーバーサンプリングし、
　加算する手段は、オーバーサンプリングされた各ＰＣＭデータを、複数のチャンネル数分累算してその累算値を出力する、のが好ましい。
　本発明において、
　オーバーサンプリング手段は、波形メモリから読み出される各チャンネルのＰＣＭデータを、ｎ次補完（但し、ｎは整数）し、各ＰＣＭデータのサンプリング周波数を高周波側にシフトさせるよう形成されるのが好ましい。
　本発明は以上の構成からなり、次にその作用を説明する。
　本発明の装置では、波形メモリ内に、複数のアナログ信号が、異なるサンプリング周波数でサンプリングされたＰＣＭデータとして記憶されている。
　そして、この波形メモリから、各チャンネルのＰＣＭデータが読み出されると、読み出されたＰＣＭデータは、オーバーサンプリング処理される。
　このようなオーバーサンプリング処理の手法としては、例えば１次補間、２次補間等の各種補完方式を利用して、新たにデ−タ値を求める方法がある。また、オ−バ−サンプリングした各点につき、波形メモリのデ−タと同じものを用い、それを原デ−タとしてデジタルフィルタリング処理を行って新たにデ−タ値を求める方法もある。そのデジタルフィルタリング処理の方法としては、離散フ−リエ変換による周波数領域でのフィルタリング（デジタル・ロ−パス・フィルタ）や、フィルタのインパルス応答とのたたみ込みによる時間領域でのフィルタリング（スム−ジング）がある（デジタルフィルタについては「インタ−フェ−イス１９８７年１１月号（ＮＯ．１２６）」を参照）。
　このような、オ−バサンプリング処理を施すことにより、読出された各チャンネルのＰＣＭデ−タは、そのサンプリング周波数が高周波側にシフトされる。
　例えば、波形メモリから、第２図（Ａ）に示すようなＰＣＭデータが各チャンネルを介して読み出されたときに、読み出された各ＰＣＭデータに対し前記オーバーサンプリング処理を施すと、各チャンネルのサンプリング周波数はｆｓ１、ｆｓ２、ｆｓ３…から、ｆＤＡ１、ｆＤＡ２、ｆＤＡ３…で示すように高周波にシフトされる。このように、本発明では、各ＰＣＭデータに含まれる低いサンプリングデータの折り返しノイズを、高い周波数領域へシフトさせ、図中斜線で示す原信号のスペクトラムとこれに隣接する折り返しノイズのスペクトラムとの周波数間隔を広げている。
　そして、オーバーサンプリング処理された各チャンネルのＰＣＭデータは、加算手段を用いて加算され、ＤＡ変換手段を用いてアナログ信号に変換された後、ローパスフィルタに入力される。
　ローパスフィルタは、前記オーバーサンプリング処理により高周波側にシフトされたサンプリング周波数に基づき、そのカットオフ周波数が設定されている。そして、入力された合成アナログ信号からＰＣＭデータに含まれる折り返しノイズを除去している。
　このように、本発明によれば、各チャンネルのＰＣＭデータに対しオーバーサンプリング処理を施し、低い周波数の折り返しノイズを高い周波数領域へ強制的にシフトをさせる。このため、各チャンネルのＰＣＭデータは、原信号の最高周波数と、これに接する折り返しノイズの最低周波数との間の周波数間隔が広くなる。従って、各チャンネルのＰＣＭデータに対するローパスフィルタのカットオフ周波数を同じ値に設定することが可能となる。
　さらに、本発明によれば、各チャンネルごとに個別にローパスフィルタを設けるのではなく、各チャンネルのＰＣＭデータを加算し、アナログ信号に変換した後、ローパスフィルタに入力するよう構成されている。このため、各チャンネルのＰＣＭデータに含まれる折り返しノイズを、共通のローパスフィルタを用いて除去することができ、装置全体の構成を簡単かつ安価なものとすることができる。
　さらに、本発明によれば、各チャンネルを介して読み出されるＰＣＭデータが限定されず、例えば同じチャンネルを介して異なるＰＣＭデータを読み出すことができる。従って、本発明の信号合成装置は、各チャンネルの汎用性が極めて高く、波形データ内にチャンネル数以上の種類のＰＣＭデータが記憶されている場合でも、これらＰＣＭデータを任意の組合せで各チャンネルを介して随時読み出し、アナログ信号を合成することができる。
［実施例］
　次に本発明の好適な実施例を図面に基づき説明する。
　第３図には、本発明に係るＰＣＭにおけるアナログ信号合成装置の好適な実施例が示されている。
　実施例のアナログ信号合成装置は、複数の音声信号（アナログ信号）を、異なるサンプリング周波数でサンプリングされたＰＣＭデータとして記憶した波形メモリ１０を有する。そして、この波形メモリ１０から多チャンネル分のＰＣＭデータを読み出して、右スピーカ用のアナログ音声合成信号１００Ｒおよび左スピーカ用のアナログ音声合成信号１００Ｌを出力するよう形成されている。
　このため、実施例の装置は、ワークメモリ２０、ＣＰＵ２２およびマルチチャンネル・プログラマブル・サウンド・シンセサイザー２４を有する。
　前記ワークメモリ２０には、第４図（Ａ）に示すように、０〜１７ＦＨのアドレスで指定される０〜２３チャンネルまでのチャンネルエリアと、１Ｆ８Ｈ〜１ＦＥＨのアドレスで指定されるインタラプトエリアが設けられている。そして、前記各チャンネルエリアは第４図（Ｂ）、前記インタラプトエリアは第４図（Ｃ）で示すように構成されている。
　ここにおいて、第４図（Ｂ）で示される各チャンネルのＬボリュウム、Ｒボリュウムエリアには、そのチャンネルの左右の音の大きさが書き込まれる。また、周波数エリアには、そのチャンネルを介して出力される音声の音程が書き込まれる。また、フラグエリアは、第５図または第６図に示すようなフラグが書き込まれる。また、スタートアドレス、エンドアドレスの各エリアには、波形メモリ１０に対する読み出し開始アドレスおよび読み出し終了アドレスが書き込まれ、これにより、当該チャンネルを介して波形メモリ１０から読み出されるＰＣＭデータが指定される。また、リピートアドレスには、指定されたＰＣＭデータを繰り返して読み出すときの繰り返し部分の開始アドレスが書き込まれる。
　そして、ＣＰＵ２２は、動作プログラムに従いアナログ信号合成用の演算を行い、この演算結果をワークメモリ２０を介してマルチプログラマブル・サウンド・シンセサイザー２４へ向け出力する。
　すなわち、実施例のＣＰＵ２２は、第４図（Ａ）に示す各エリアに書き込むデータを演算し、その演算データをワークメモリ２０に書き込むと共に、０〜２３の各チャンネルを介して波形メモリ１０からＰＣＭデータを読み出すのに必要な各種データを、マルチチャンネル・プログラマブル・サウンド・シンセサイザー２４へ向け出力する。
　第１図には、このマルチチャンネル・プログラマブル・サウンド・シンセサイザー２４の回路構成が示されている。
　実施例のシンセサイザー２４は、ＣＰＵ２２から演算出力されるデータおよびワークメモリ２０に書き込まれたデータに基づき、波形メモリ１０から各チャンネルのＰＣＭデータを読み出す制御回路３０と、波形メモリ１０から読み出される各チャンネルのＰＣＭデータをオーバーサンプリング処理するオーバーサンプリング回路３２とを含む。
　前記制御回路３０は、０〜２３の各チャンネルのＰＣＭデータ読み出しアドレスをタイムシェアリングの手法を用いて、波形メモリ１０へ向け順次出力する。これにより、波形メモリ１０からは、読み出しアドレスにより指定されるＰＣＭデータが各チャンネルごとに順次読み出され、オーバーサンプリング回路３２へ向け出力される。
　このとき制御回路３０は、音程を高く設定する場合には、ＰＣＭデータ読み出しアドレスを短い時間間隔でインクリメントし、また音程を低く設定する場合には読み出しアドレス信号を長い時間間隔でインクリメントしている。
　また、これと同時に制御回路３０は、読み出されるＰＣＭデータの音程を表わす周波数データ１２０をオーバーサンプリング回路３２へ向け出力すると共に、左右のボリュウムを指示するボリュウムデータ１３０Ｒおよび１３０Ｌを乗算器４６Ｒおよび４６Ｌへ向け出力する。
　また、前記オーバーサンプリング回路３２は、波形メモリ１０から読み出される各チャンネルのＰＣＭデータをオーバーサンプリング処理し、読み出された各ＰＣＭデータのサンプリング周波数を高周波側にシフトさせるよう形成されている。
　このようなオーバーサンプリング処理の手法としては、例えば１次補間（線形補間）、２次補間などの補完処理の手法や、デジタルフィルタリング処理を用いる手法などを必要に応じて適宜用いることができる。本実施例においては、ＰＣＭデータを直線補間処理し、サンプリング周波数を高周波側にシフトさせるよう形成されている。
　例えば、波形メモリ１０から、あるチャンネルのＰＣＭデータが第７図に示すようにＨｎ−１、Ｈｎ…と読み出される場合を想定する。この場合に、ＰＣＭデータＨｎ−１とＨｎとの間のｍ番目の補間データＨは次式により求められる（ｍ＝０，１，…）。
　但し、ΔＴ＝Ｔｎ−Ｔｎ−１。
　ここにおいて、Ｔｎ−１、Ｔｎ…は各ＰＣＭデータが出力される時間を表す。
　そして、このような直線補間式を用いて、各ＰＣＭデータＨｎ−１、Ｈｎの間で１つの補間データを求めれば、波形メモリ１０から読み出されるＰＣＭデータのサンプリング周波数ｆｓを２倍の周波数、すなわち２ｆｓまで高周波側にシフトさせることができる。また、各ＰＣＭデータの間で２つの直線補間データを求めれば、サンプリング周波数を３倍まで実質的に高めることができる。
　このとき、実施側においては、第１図に示すように、波形メモリ１０から読み出されるＰＣＭデータは１２ビット、引算器３６から出力されるデータは、これに正負を表わす１ビットを加えた１３ビット、周波数デ−タメモリ４０から出力されるデ−タは８ビットである。これが乗算器３８および加算器４４で演算され、補間処理されることにより、得られるＰＣＭデータは１６ビットに符号拡張される。
　このような直線補間処理を行うため、実施例のサンプリング回路３２は、ラッチ回路３４、引算器３６、乗算器３８、周波数データメモリ４０、周波数データ加算器４２、加算器４４を有する。
　そして、波形メモリ１０から読み出されるＰＣＭデータＨｎはラッチ回路３４および引算器３６へ向け出力される。
　そして、ラッチ回路３４は、前回入力されたＰＣＭデータＨｎ−１を引算器３６および加算器４４へ向け出力するよう形成され、引算器３６は、このようにして入力されるＰＣＭデータＨｎ、Ｈｎ−１からΔＨ＝Ｈｎ−Ｈｎ−１を演算し乗算器３８へ向け出力する。
　また、前記周波数データメモリ４２には、各ＰＣＭデータの音程を表わす周波数データとして、（Δｔ／ΔＴ）が制御回路３０から初期値として入力される。そして、周波数データ加算器４２は、この初期値（Δｔ／ΔＴ）を用いて、ｍ（Δｔ／ΔＴ）を演算し乗算器３８へ向け出力する。
　乗算器３８は、このようにして入力される各データに基づき、Δｈ＝（ΔＨ／ΔＴ）ｍΔｔを演算し加算器４４へ向け出力する。
　そして、加算器４４は、このようにして入力される各データを加算し、前記第１式に示す直線補完データＨを演算し、乗算器４６Ｒおよび４６Ｌへ向け出力する。
　そして、乗算器４６Ｒ、４６Ｌは、このようにしてオーバーサンプリング回路３２から出力されるＰＣＭデータと、制御回路３０から出力される左右のボリュウムデータ１３０Ｒ、１３０Ｌとを乗算し、その乗算値を右チャンネル用の累算器４８Ｒおよび左チャンネル用の累算器４８Ｌに向け出力する。
　本実施例のマルチチャンネルプログラマブルサウンドシンセサイザー２４は、このような演算処理をタイムシェアリングの手法を用いて０〜２３の各チャンネルに対して繰り返し行い、０〜２３チャンネル分の演算データを累算器４８Ｒおよび４８Ｌに順次累算していく。
　そして、２３チャンネル目のＰＣＭデータの累算が終了すると、右チャンネル用の累算器４８Ｒ、左チャンネル用の累算器４８Ｌの累算値は、順にマルチプレクサ５０を介してシフトレジスタ５２に向け出力され、シフトレジスタ５２は、左右のチャンネルの累算値をシリアルデータに変換出力する。そして、このシリアルデータは、第３図に示すシリアルパラレル変換回路６０を介してＤＡコンバータ６２に入力される。
　このように、累算値を一旦シリアルデータに変換して出力するのは、シンセサイザー２４として出力ピン数が少なくてすむシリアルデータ出力型のワンチップ素子を用いているためであり、このシンセサイザー２４として出力ピン数は多くなるがパラレルデータ出力型のワンチップ素子を用いた場合には、このようなマルチプレクサ５０、シフトレジスタ５２、シリアルパラレル変換回路６０を用いる必要はない。
　また、このようにシリアルパラレル変換回路６０を介してＤＡコンバータ６２に入力された右チャンネルおよび左チャンネルの各累算値は、ここでアナログ信号に変換され右チャンネル用のローパスフィルタ６４Ｒおよび左チャンネル用のローパスフィルタ６４Ｌに向け出力される。
　ここにおいて、前記各ローパスフィルタ６４Ｒ、６４Ｌは、高周波側にシフトされたサンプリング周波数に基づきそのカットオフ周波数ｆｃが設定されており、入力されるアナログ信号からＰＣＭデータに含まれる折り返しノイズを除去する。そして、これら各アナログ信号を、アンプ６６Ｒ、６６Ｌを介して右チャンネル用の音声信号１００Ｒおよび左チャンネル用の音声信号１００Ｌとして出力している。
　本実施例は以上の構成からなり、次にその作用を説明する。
　本実施例の信号合成装置は、タイムシェアリングの手法を用いて０〜２３の各チャンネルのＰＣＭデータを波形メモリ１０から順次読み出す。　第２図（Ａ）には、このようにして波形メモリ１０から読み出された各チャンネルのＰＣＭデータの周波数スペクトラムが示されている。前述したように、これら各ＰＣＭデータは、そのサンプリング周波数ｆｓが元のアナログ信号の最高周波数の約２倍に設定されている。このため、各チャンネルを介して読み出されるＰＣＭデータは、斜線で示す原信号のスペクトラムと、折り返しノイズのスペクトラムとが近接している。このため、各チャンネルごとに固有のカットオフ周波数ｆｓを設定しなければ、ＰＣＭデータから折り返しノイズを確実に除去することはできない。
　これに対し、本発明のアナログ信号合成装置では、このようにして読み出された各チャンネルのＰＣＭデータに対し、オーバーサンプリング回路３２を用いてオーバーサンプリング処理を施し、各チャンネルのＰＣＭデータのサンプリング周波数を第２図（Ｂ）に示すように高周波側にシフトさせている。
　すなわち、本実施例においては、第７図に示すように、各ＰＣＭデータＨｎ−１、Ｈｎ…の間のデータＨを、直線補間により求めている。これにより、第２図（Ａ）に示すサンプリング周波数の低いデータ列を、高い周波数ｆＤＡでサンプリングしたと仮定したデータ列に変換し、各チャンネルのデータ列の見掛け上のサンプリング周波数ｆＤＡを高周波側へ強制的にシフトさせている。
　この場間に、例えば各ＰＣＭデータの間で１つのＰＣＭ補間データＨを求めると、見掛け上のサンプリング周波数を２倍まで高めることができ、また各ＰＣＭデータの間でｎ個（ｎは整数）の補間データＨを求めると、見掛け上のサンプリング周波数ｆＤＡをサンプリング周波数ｆｓのｎ＋１倍まで高めることができる。
　このようにして、各チャンネルを介して読み出されるＰＣＭデータの見掛け上のサンプリング周波数ｆＤＡを高周波側にシフトさせることにより、各チャンネルの低周波側折り返しノイズを強制的に高周波側へシフトさせ、原信号と折り返しノイズとの間の周波数間隔を広げることができる。
　従って、オーバーサンプリング処理を施された各チャンネルのＰＣＭデータを累算器４８Ｒ、４８Ｌを用いて合成しても、合成されたＰＣＭデータに含まれる原信号と折り返しノイズとが重なり合うことはなく、両者を十分な周波数間隔を介して引き離すことができる。
　なお、波形メモリ１０内に記憶されているＰＣＭデータのサンプリング周波数は予め知られている。このため、ＰＣＭデータをオーバーサンプリング処理した場合に、全てのＰＣＭデータに含まれる原信号成分の最高周波数と折り返しノイズの最低周波数とを予め求めておくことができる。
　従って、各ローパスフィルタ６４Ｒ、６４Ｌのカットオフ周波数ｆｃを、原信号の最高周波数と、折り返しノイズの最低周波数との間に設定すれば、第３図に示すように、ＤＡコンバータ６２の出力段に左右の両チャンネル用のローパスフィルタ６４Ｒ、６４Ｌを用意するのみで、各チャンネルのＰＣＭデータに含まれる折り返しノイズを確実に除去することができる。
　このようにして、本実施例によれば、右チャンネル用として一台のローパスフィルタ６４Ｒ、左チャンネル用として１台のローパスフィルタ６４Ｌを用意するのみで、０〜２３の各チャンネルを介して出力されるＰＣＭデータに含まれる折り返しノイズを確実に除去することができる。
　さらに、本発明によれば、０〜２３の各チャンネルを介してどのようなサンプリング周波数のＰＣＭデータを読み出しても良い。従って、波形メモリ１０に２５種類以上のＰＣＭデータが記憶されている場合でも、０〜２３の合計２４個のチャンネルを用いて前記各ＰＣＭデータを任意の組合せで読み出しアナログ信号として合成出力することができ、ＰＣＭデータの種類と各チャンネルとが１対１の対応関係にあった信号合成装置に比べ、装置全体の汎用性を高め、しかも装置全体の構成を簡単なものとすることができる。
　なお、本発明は前記実施例に限定されるものではなく、本発明の要旨の範囲内で各種の変形実施が可能である。
　例えば、本実施例においては、オーバーサンプリングとして直線補間処理を行う場合を例に取り説明したが、本発明はこれに限らず、必要に応じて２次補間、３次補間…や、ラグランジェの補間公式を用いた補完処理を行ってもよい。
　また、このようなオーバーサンプリングの他の手法として、デジタルフィルタリング処理により補完データを求めることもできる。
　前記実施例では、ＰＣＭデータＨｎ−ｌ，Ｈｎ…自体は、補完の対象としなかったが、必要に応じてこれらＰＣＭデータそのものも補完の対象とすることもできる。
　また、本実施例は、音声信号を合成出力する場合を例に取り説明したが、本発明はこれに限らず、必要に応じて他の種類のアナログ信号を合成出力する場合にも適用可能であることはいうまでもない。
［発明の効果］
　以上説明したように、本発明によれば、各チャンネルのＰＣＭデータに含まれる折り返しノイズの除去を共通のローパスフィルタを用いて行うことができ、各チャンネルごとに、それぞれ独自のカットオフ周波数が設定されたローパスフィルタを設ける装置に比べ、装置全体の構成を簡単かつ安価なものとすることができる。
　また、本発明によれば、各チャンネルを介して、どのような周波数でサンプリングされたＰＣＭデータを読み出しても良い。このため、読み出されるＰＣＭデータの種類が各チャンネルごとに制限されていた装置に比べ、少ないチャンネル数で多種類のアナログ信号を合成出力することができるという効果がある。
　従って、本発明によれば、装置とチャンネル数が同じ場合でも、波形メモリ内にチャンネル数以上の多数のＰＣＭデータを記憶しておき、これら各ＰＣＭデータを任意に組合せて、多彩なアナログ信号を合成出力することができる。また、波形メモリ内に書き込まれているＰＣＭデータの種類が装置と同じ場合には、必要に応じてチャンネル数を減らすこともできるため、この面からも装置全体の構成を簡単なものとし、コストダウンを図ることができる。
【図面の簡単な説明】
　第１図は本発明に係るＰＣＭにおけるアナログ信号合成装置の好適な実施例を示すブロック回路図、
　第２図はオーバーサンプリング処理の一例を示す説明図であり、同図（Ａ）はオーバーサンプリング処理を施す前の各チャンネルのＰＣＭデータの周波数スペクトラム図、同図（Ｂ）はオーバーサンプリング処理を施した後の周波数スペクトラム図、
　第３図は本発明が適用されたアナログ信号合成装置の全体説明図、
　第４図は第３図に示すワークメモリのメモリマップの説明図、
　第５図および第６図は第４図（Ｂ）に示すメモリマップの所定エリアの説明図、
　第７図は直線補間の説明図、
　第８図はアナログ信号をＰＣＭ信号に変換する場合の説明図であり、同図（Ａ）はアナログ信号を所定周波数でサンプリングする場合の説明図、同図（Ｂ）はそのサンプリングされたＰＡＭ波の説明図、
　第９図は所定のサンプリング周波数ｆｓサンプリングされたＰＣＭデータの周波数スペクトラム図、
　第１０図はＰＣＭにおけるアナログ信号合成装置の一例を示すブロック回路図、
　第１１図はＰＣＭデータに対するカットオフ周波数の説明図であり、同図（Ａ）はカットオフ周波数をサンプリング周波数の２分の１に設定した場合の説明図、同図（Ｂ）はカットオフ周波数をサンプリング周波数の２分の１より高い値に設定した場合の説明図である。
　１０…波形メモリ
　３０…制御回路
　３２…オーバーサンプリング回路
　４８…累算器
　６２…ＤＡコンバータ
　６４…ローパスフィルタ
　１００Ｒ、１００Ｌ…アナログ音声合成信号